(57)【要約】      （修正有）【課題】火事の際に火の勢いを断ち、煙の拡散を減らし、且つ防火板で覆った燃えやすい物件、例として仕切板、家具、棚を保護する防火板材を提供する。【解決手段】防火板材１は、少なくとも防火層１１及び装飾層１２を含む。防火層は、膨脹石墨粉１１１と繊維１１２を混合して製造し、装飾層は防火層の一側に設置し、防火層の別一側には基板層を設置する。防火層の膨脹石墨粉には熱を受けると膨張する特性があるため、防火層全体を即座に膨張拡張させ、火災の際には、膨脹石墨粉に加えた繊維が火の勢いを断ち、煙の拡散を防止して防火断熱効果を形成し、防火板で覆った物件を保護する。【選択図】図１
0003138579.tif 000002
【実用新案登録請求の範囲】
【請求項１】
防火板材において、少なくとも膨張石墨粉と繊維を混合して製造した一防火層と、
防火層の一側に設置する一装飾層を含むことを特徴とする、防火板材。
【請求項２】
前記防火層と装飾層は、その間に一粘着層を利用し、防火層と装飾層を相互に粘着定位することを特徴とする、請求項１記載の防火板材。
【請求項３】
防火板において、少なくとも、膨張石墨粉と繊維を混合して製造した一防火層と、
防火層の一側に設置する一装飾層と、防火層に設置して装飾層の別一側に相対する一基板層を含むことを特徴とする、防火板材。
【請求項４】
前記防火層と装飾層の間、及び防火層と基板層の間は、各々一粘着層を設置し、防火層、装飾層及び基板層を相互粘着定位することを特徴とする、請求項３記載の防火板材。
【請求項５】
防火板において、少なくとも膨張石墨粉と繊維を混合して製造した一防火層と、
防火層の一側に設置する一平坦層と、防火層に設置して平坦層の別側に相対する一基板層と、平坦層に設置して防火層の別側に相対する一装飾層を含むことを特徴とする、防火板材。
【請求項６】
前記該防火層、該平坦層、該装飾層及び該基板層は、各層の間に各々一粘着層を設置し、防火層、平坦層、装飾層及び基板層を相互に粘着定位させることを特徴とする、請求項５記載の防火板材。
【請求項７】
前記平坦層は、紙、プラスチック板、ゴム膜もしくは不織布とすることを特徴とする、請求項５記載の防火板材。
【請求項８】
前記繊維は、化学繊維、紙繊維、天然繊維もしくは鉱物繊維とすることを特徴とする、請求項１、３もしくは５記載の防火板材。
【請求項９】
前記基板層は、紙板、プラスチック板、ゴム膜もしくは不織布とすることを特徴とする、請求項３もしくは５記載の防火板材。
【考案の詳細な説明】
【技術分野】
【０００１】
本考案は防火板材に関するもので、特に火事の際に火の勢いを断ち、煙の拡散を減らし、且つ防火板で覆った燃えやすい物件、例として仕切板、家具、棚を保護するものである。
【背景技術】
【０００２】
板状建材は現代において煩雑に使用されており、そのうち板状建材は建築物のうちの仕切面材、オフィス家具、オフィス棚、家庭室内家具等に於いて、非常に広く使用されている。
【０００３】
一般従来の公知板状建材は建築物上に貼り付けるか、もしくは壁紙と合わせて装飾仕切として使用されるか、もしくは家具、棚表面に装飾層として貼り付けて使用される。
【考案の開示】
【考案が解決しようとする課題】
【０００４】
解決しようとする問題点は、火災が発生した場合、建築物には可燃性の板状建材があるので、必ず火が着き、貼り付けた物件を保護することなどできない。このため火災が徐々に蔓延して拡大すれば収集不能となり、ひどい場合は命や財産を失うことになる点である。
【課題を解決するための手段】
【０００５】
本考案は、少なくとも防火層及び装飾層を含む。防火層は、膨脹石墨粉と繊維を混合して製造し、装飾層は防火層の一側に設置し、防火層の別一側には基板層を設置する。防火層の膨脹石墨粉には熱を受けると膨張する特性があるため、防火層全体を即座に膨張拡張させ、火災の際には、膨脹石墨粉に加えた繊維が火の勢いを断ち、煙の拡散を防止して防火断熱効果を形成し、防火板で覆った物件を保護することを最も主要な特徴とする。
【考案の効果】
【０００６】
本考案の防火板材は、火事の際に火の勢いを断ち、煙の拡散を減らし、且つ防火板で覆った燃えやすい物件、例として仕切板、家具、棚を保護するという利点がある。
【考案を実施するための最良の形態】
【０００７】
本考案は、火災の際に火の勢いを断ち、煙の拡散を減らす機能を具え、更に燃えやすい物件を保護する防火板材を提供する。
【０００８】
本考案の防火板材少なくとも防火層及び装飾層を具える。防火層は膨脹石墨粉と繊維を混合して製造し、装飾層は防火層の一側に設置し、防火層の別一側には基板層を設置する。防火層の膨脹石墨粉は熱を受けると膨張する特性を具えるため、防火層全体を即座に膨張拡散させ、更に加えた繊維によって強化及び断熱により、火の勢いを断ち、煙の拡散を減らす防火断熱し、防火板で覆った物件を延焼から保護する。
【実施例１】
【０００９】
本考案の板材の構造及び全体の運用方式を図式と共に説明する。本考案「防火板材」の防火板材１全体は、図１及び図２の第一実施例に示すとおりで、少なくとも防火層１１及び装飾層１２を含む。この防火層１１は、膨脹石墨粉１１１と繊維１１２を混合して構成され、その繊維１１２は化学繊維、紙繊維、天然繊維もしくは鉱物繊維とする。膨脹石墨粉を混合した繊維は不織布の織法で結合定型し、熱圧方式で単片状もしくはロール状の防火層１１に製造し、装飾層１２は防火層１１の一側面に設置し、防火層１１と装飾層１２の間は粘着層１３を使用し、防火層１１と装飾層１２が相互に粘着して定位し、防火板材を形成する。
【００１０】
具体的に使用する時、防火板材は、建築物の仕切板、オフィス家具、オフィス棚、家庭室内家具等的面材として使用する。図３に示すのは、本考案の防火板材１を建築物内の仕切面材に応用したもので、装飾層１２の一面は外に向ける。装飾層１２は使用者の必要に応じて異なる模様を形成する。装飾美観の効果だけでなく、火災が発生した時、防火層の膨脹石墨粉が熱を吸収して膨張する特徴が防火層全体をスピーディに膨張させ、更に繊維強化と断熱機能が火の勢いを断ち、煙の拡散を減らす防火断熱効果を具え、仕切板が焼けるのを防止する。
【実施例２】
【００１１】
図４及び図５に示すのは、本考案の第二実施例図である。この防火板材１は、少なくとも防火層１１、装飾層１２及び基板層１４を含む。そのうち防火層１１は、膨脹石墨粉１１１と繊維１１２を混合して製造し、繊維１１２は化学繊維、紙繊維、天然繊維、もしくは鉱物繊維とし、膨脹石墨粉を混合した繊維は、不織布の織法で結合定型し、熱圧方式で単片状もしくはロール状の防火層１１を製造する。防火層１１は装飾層１２と基板層１４の間に設置し、装飾層１２は防火層１１一側に設置する。基板層１４は防火層１１の装飾層１２に相対する別側に設置し、防火層１１と装飾層１２間及び防火層１１と基板層１４の間は粘着層１３を利用する。防火層１１、装飾層１２及び基板層１４を相互に粘着定位し、その基板層１４は紙板、プラスチック板、ゴム膜もしくは不織布とする。
【実施例３】
【００１２】
図６に示すのは、本考案の第三実施例図で、防火板材１は、少なくとも防火層１１、平坦層１５、装飾層１２及び基板層１４を含む。防火層１１は、同様に膨脹石墨粉１１１と繊維１１２を混合して製造し、繊維１１２は化学繊維、紙繊維、天然繊維、もしくは鉱物繊維とする。膨脹石墨粉を混合した繊維は、不織布の織法で結合定型し、熱圧方式で単片状もしくはロール状の防火層１１を製造する。防火層１１は、装飾層１２と基板層１４の間に設置し、平坦層１５は、装飾層１２と防火層１１の間に設置する。装飾層１２は平坦層１５に設置して防火層１１別側に相対し、基板層１４は防火層１１に設置して平坦層１５の別側に相対する。この平坦層１５は紙、プラスチック板、ゴム膜もしくは不織布とし、表面を平坦にする。防火層１１、平坦層１５、装飾層１２及び基板層１４の各層間は粘着層１３を利用し、防火層１１、平坦層１５、装飾層１２及び基板層１４は相互に粘着定位し、基板層１４は、紙板、プラスチック板、ゴム膜もしくは不織布とする。
【００１３】
具体的に使用する時、防火板材１は、図３に示すとおり、建築物の仕切面材に応用し、また図７に示すとおり、家庭の棚もしくは棚面上に使用する。これは同様に装飾層１２の一面外向きに利用する。もちろん装飾層１２は使用者の必要に応じて異なる模様にして構わない。外面を美しくするだけでなく、基板層が支えとなる効果を具え、且つ火災が発生した場合、防火層の膨脹石墨粉が熱を受けて膨張する特徴を受けて防火層全体が即座に膨張、拡張し、加えて繊維の強化と断熱効果により、火の勢いを断ち、煙の拡散を減らし、更に棚が延焼するのを防止する。
【００１４】
上述のとおり、本考案は防火板材を提供し、実用新案登録を申請する。以上の実施説明及び図式は、本考案の良好な実施例に過ぎず、本考案を制限するものではない。本考案の構造、装置、特徴等と近似、雷同するものは、すべて本考案の範囲に属する。
【図面の簡単な説明】
【００１５】
【図１】本考案の防火板材第一実施例の構造指示図
【図２】本考案の防火板材第一実施例の構造立体図
【図３】本考案の防火板材の使用状態指示図
【図４】本考案の防火板材第二実施例の構造指示図
【図５】本考案の防火板材第二実施例の構造立体図
【図６】本考案の防火板材第三実施例の構造指示図
【図７】本考案の防火板材の別の使用状態指示図
【符号の説明】
【００１６】
１          防火板材
１１        防火層
１１１      膨脹石墨粉
１１２      繊維
１２        装飾層
１３        粘着層
１４        基板層
１５        平坦層
【図１】
0003138579.tif 000003
【図２】
0003138579.tif 000004
【図３】
0003138579.tif 000005
【図４】
0003138579.tif 000006
【図５】
0003138579.tif 000007
【図６】
0003138579.tif 000008
【図７】
0003138579.tif 000009